(57)【要約】【課題】自然エネルギーを用いて発電する発電部材と蓄電池と照明部と制御装置を備えた照明灯において、少ない消費電力で所定の照明輝度を発揮すると共に周囲環境の変化に応じて発光色を変化して、夏は清涼感のある、冬は暖かみのある照明を行う照明灯システムを提供する。【解決手段】照明部に、標準白色出力で発光する発光体を備える主発光部３１と、適宜選択されたときに所定の発光色で発光する発光体を備える副発光部（例えば、第一副発光部３２と第二副発光部３３と第三副発光部３４）とを設け、制御装置５が、温度センサ６を介して、予め設定される複数の温度領域のどの領域に該当するかを分類し、分類された温度領域に応じて、前記副発光部を発光制御する照明灯システムとした。【選択図】図１
2010067375.tif 000002
【特許請求の範囲】
【請求項１】
自然エネルギーを用いて発電する発電部材と、この発電部材により得られた電気を蓄電する蓄電池と、蓄電された電気を用いて点灯する照明部と、蓄電や点灯を制御するための制御装置とを設けた照明灯システムにおいて、
前記照明部に、標準白色出力で発光する発光体を備える主発光部と、適宜選択されたときに所定の発光色で発光する発光体を備える副発光部とを設け、
前記制御装置が、温度センサが検知する周囲温度、もしくは、一定期間毎に算出される平均温度が、予め設定される複数の温度領域のどの領域に該当するかを分類し、分類された温度領域に応じて、前記副発光部を発光制御することを特徴とする照明灯システム。
【請求項２】
前記副発光部が、その発光色が予め定められた複数の発光部を有し、分類された前記温度領域に応じて所定の発光色で発光する発光部を選択して発光させることを特徴とする請求項１に記載の照明灯システム。
【請求項３】
前記副発光部として、第一副発光部と第二副発光部と第三副発光部とを設け、
前記温度領域を、予め定められる第一設定温度よりも低い温度領域である低温領域と、予め定められる第二設定温度よりも高い温度領域である高温領域と、これらの間の温度領域である中温領域との三段階に分類し、
前記制御装置が、分類された前記温度領域に応じて、前記主発光部に加えて前記第一副発光部、第二副発光部、第三副発光部のいずれか一つの副発光部を選択して発光する制御を行うことを特徴とする請求項１または２に記載の照明灯システム。
【請求項４】
前記制御装置が、照明部を点灯する日前の複数日の平均温度を算出し、算出された平均温度を前記三段階に分類し、分類された温度領域に応じて発光制御を行うことを特徴とする請求項３に記載の照明灯システム。
【請求項５】
前記第一副発光部が、標準白色出力で発光する発光体を備える副発光部であって、検知される前記周囲温度もしくは平均温度が前記中温領域に該当すると分類されたときに発光制御され、
前記第二副発光部が、暖色系出力で発光する発光体を備える副発光部であって、検知される前記周囲温度もしくは平均温度が前記低温領域に該当すると分類されたときに発光制御され、
前記第三副発光部が、寒色系出力で発光する発光体を備える副発光部であって、検知される前記周囲温度もしくは平均温度が前記高温領域に該当すると分類されたときに発光制御されることを特徴とする請求項３または４に記載の照明灯システム。
【請求項６】
前記照明部を矩形とし、縦横いずれか一方向の中心線を挟む該中心線に沿った狭い領域に前記第一副発光部と第二副発光部と第三副発光部とを併設し、これらの副発光部を挟む両側の広い領域に前記主発光部を配設したことを特徴とする請求項３から５のいずれかに記載の照明灯システム。
【請求項７】
前記照明部を矩形とし、縦横両方向の中心線を挟むそれぞれの中心線に沿った狭い領域に前記第一副発光部と第二副発光部と第三副発光部とを併設し、これ以外の広い領域に前記主発光部を配設したことを特徴とする請求項３から５のいずれかに記載の照明灯システム。
【請求項８】
前記照明部を矩形として複数の矩形状の発光部を設けると共に、この中の一枚の発光部を副発光部とし、この副発光部に第一副発光部と第二副発光部と第三副発光部を併設し、これ以外の発光部を全て前記主発光部としたことを特徴とする請求項３から５のいずれかに記載の照明灯システム。
【請求項９】
前記発電部材がソーラーパネルであって、前記発光体がＬＥＤであることを特徴とする請求項１から８のいずれかに記載の照明灯システム。
【請求項１０】
前記制御装置がカレンダー機能を有し、前記副発光部の発光制御を季節に応じて変更することを特徴とする請求項１から９のいずれかに記載の照明灯システム。
【発明の詳細な説明】
【技術分野】
【０００１】
本発明は、発電部材と蓄電池を備える照明灯に関し、特に、照明灯の発光色を変化させる照明灯システムに関する。
【背景技術】
【０００２】
従来、電源が得られ難い地域や場所などで設置される照明灯として、ソーラーパネルや風力発電などの自然エネルギーを用いて発電する発電部材を備えた照明灯が知られている。
【０００３】
これらの照明灯は、支柱の上部にソーラーパネルや風力発電などの発電部材や照明部を装着し、支柱の下端部を土台に直接組み付けたり地中に埋め込んだりして立設する構成が一般的である。また、発電部材が生成した電力を蓄える蓄電池を備えている。
【０００４】
屋外に設置する照明灯や電源が得られ難い場所では、周囲を照らすことが目的であるので、その発光色は一般に白色や昼光色が採用されている。また、発光体として、低消費電力で発光輝度の高いＬＥＤを用いることが広く採用されていて、発光色の異なるＬＥＤを用いて、所望の発光色を照射することも行われている。
【０００５】
また、発光色の色彩によって体感温度が変化して、発光色によって人の受ける感覚が異なり、赤色や黄色などでは暖かく感じ、青色や青緑などは水を連想して寒く感じる。そのために、赤色や黄色などは暖色系と分類され、青色や青緑などは寒色系と分類されていて、暖かいことを表示する際には、赤色や黄色などの暖色系の照明が用いられ、涼しいことや冷たいことを表示する際には、青色などの寒色系の照明が一般に用いられる。
【０００６】
そのために、キャビネットの扉に発光装置を取り付けて、使用者の気分や環境変化に合わせて発光色を変化させるとした照明付き扉が既に公開されている（例えば、特許文献１参照）。
【０００７】
また、空調機の作動状態に応じて、空調機が暖房モードのときに照明光を暖色系の色とし、冷房モードのときに照明光を寒色系の色として空調効果を増強するとした車両用照明システムが既に公開されている（例えば、特許文献２参照）。
【特許文献１】特開２００３−８２９５３号公報
【特許文献２】特開２００４−２３７８９１号公報
【発明の開示】
【発明が解決しようとする課題】
【０００８】
発電部材と蓄電池を備えて昼間に発電して夜間に周囲を照らす照明灯は、例えば、昼間発電量を集約すれば短い時間でソーラーパネルを用いて発電し、夜間の長い時間に亘って照明するので、少ない消費電力で所定の照明輝度を発揮する照明効率のよい照明灯が求められる。
【０００９】
発光体がＬＥＤであれば、低消費電力で発光輝度が高い発光体ではあるが、発光色によっては、その消費電力が大きく変化する。一般に白色ＬＥＤの発光輝度が最も高く、同一の明るさであれば、消費電力は最も少ない。しかし、赤色ＬＥＤや青色ＬＥＤであれば発光効率が低下して、同一電力であれば、発光輝度は低下する。そのために、白色ＬＥＤに替えて赤色ＬＥＤや青色ＬＥＤを用いると、同じ照度を得るには消費電力が増加し、所定の蓄電量に対する連続照明時間が短くなってしまい、夜間の長い時間に亘って照明する照明灯として不都合が生じる。
【００１０】
そのために、消費電力をなるべく低く抑えることが可能な所定の発光色で照明する構成であることが好ましい。また、発光色によって、人が受ける感覚は変わり体感温度が影響を受けることは明らかである。しかし、暖かいときに暖色系の発色で発光したり、寒いときに寒色系の発色で発光したりすることは、ただ、暖かいときに暖かく感じ、寒いときに寒く感じることを強調するだけであって、見る人の体感温度を良好として気持ちを和らげる効果を得ることは困難である。そのために、暑いときには清涼感を出して暑さを和らげ、寒いときには温かみを出して寒さを和らげるような効果を発揮することが好ましい。
【００１１】
暗いときに周囲を照らす照明灯は、その発光する色合いを変えることで、灯りを見る人に影響を与えることができる。また、人に与える影響は、季節に応じ、周囲環境に応じて微妙に変化させることが好ましい。
【００１２】
そこで本発明は、自然エネルギーを用いて発電する発電部材と蓄電池と照明部と制御装置を備えた照明灯において、少ない消費電力で所定の照明輝度を発揮すると共に周囲環境の変化に応じて発光色を変化して、夏は清涼感のある、冬は暖かみのある照明を行う照明灯システムを提供することを目的とする。
【課題を解決するための手段】
【００１３】
上記目的を達成するために本発明は、自然エネルギーを用いて発電する発電部材と、この発電部材により得られた電気を蓄電する蓄電池と、蓄電された電気を用いて点灯する照明部と、蓄電や点灯を制御するための制御装置とを設けた照明灯システムにおいて、前記照明部に、標準白色出力で発光する発光体を備える主発光部と、適宜選択されたときに所定の発光色で発光する発光体を備える副発光部とを設け、前記制御装置が、温度センサが検知する周囲温度、もしくは、一定期間毎に算出される平均温度が、予め設定される温度領域のどの領域に該当するかを分類し、分類された複数の温度領域に応じて、前記副発光部を発光制御することを特徴としている。
【００１４】
この構成によると、主発光部が標準白色出力であるので、少ない消費電力で所定の照明輝度を発揮することができる。また、周囲温度や所定期間の平均温度によって発光色を変える副発光部を介して、周囲環境に応じた心地よい発光色で照明して、夏は清涼感のある、冬は暖かみのある体感温度を良好とする照明灯システムを構築することが可能となる。
【００１５】
また本発明は上記構成の照明灯システムにおいて、前記副発光部が、その発光色が予め定められた複数の発光部を有し、分類された前記温度領域に応じて所定の発光色で発光する発光部を選択して発光させることを特徴としている。この構成によると、予め発光色が定められた複数の副発光部を用意して、そのいずれか一つの副発光部を発光制御するので、分類された温度領域に応じた発光色で照明する操作を容易に行うことができる。
【００１６】
また本発明は上記構成の照明灯システムにおいて、前記副発光部として、第一副発光部と第二副発光部と第三副発光部とを設け、前記温度領域を、予め定められる第一設定温度よりも低い温度領域である低温領域と、予め定められる第二設定温度よりも高い温度領域である高温領域と、これらの間の温度領域である中温領域との三段階に分類し、前記制御装置が、前記分類された温度領域に応じて、前記主発光部に加えて前記第一副発光部、第二副発光部、第三副発光部のいずれか一つの副発光部を選択して発光する制御を行うことを特徴としている。この構成によると、三段階に分類される周囲温度や所定期間の平均温度によって、第一副発光部、第二副発光部、第三副発光部のいずれか一つの副発光部を選択して、体感温度が良好となるように調整する発光色で照明することができる。
【００１７】
また本発明は上記構成の照明灯システムにおいて、前記制御装置が、照明部を点灯する日前の複数日の平均温度を算出し、算出された平均温度を前記三段階に分類し、分類された温度領域に応じて発光制御を行うことを特徴としている。この構成によると、複数日の平均温度を元に低温、中温、高温の領域を分類するので、より季節感に優れた照明色を発光可能となる。
【００１８】
また本発明は上記構成の照明灯システムにおいて、前記第一副発光部が、標準白色出力で発光する発光体を備える副発光部であって、検知される前記周囲温度もしくは平均温度が前記中温領域に該当すると分類されたときに発光制御され、前記第二副発光部が、暖色系出力で発光する発光体を備える副発光部であって、検知される前記周囲温度もしくは平均温度が前記低温領域に該当すると分類されたときに発光制御され、前記第三副発光部が、寒色系出力で発光する発光体を備える副発光部であって、検知される前記周囲温度もしくは平均温度が前記高温領域に該当すると分類されたときに発光制御されることを特徴としている。この構成によると、中温領域であると標準白色出力のみとなって、季節感やその他の感情を誘起しない通常の色合いの発光色の照明灯となる。また、温度が低温領域であれば、副発光部が暖色照明を行う構成となって、ほのぼのとした暖かな気分を誘起して、寒さを和らげて体感温度を良好とすることができ、温度が高温領域であれば、副発光部が寒色照明を行う構成となって、ひんやりとした気分を誘起して、暑さを和らげて体感温度を良好とすることができる。
【００１９】
また本発明は上記構成の照明灯システムにおいて、前記照明部を矩形とし、縦横いずれか一方向の中心線を挟む該中心線に沿った狭い領域に前記第一副発光部と第二副発光部と第三副発光部とを併設し、これらの副発光部を挟む両側の広い領域に前記主発光部を配設したことを特徴としている。この構成によると、広い主発光部で標準白色出力を行い、中心線に沿った狭い領域で副発光を行うので、消費電力を抑制しながら照明輝度は主発光部に依存し、狭い領域で季節感やほのかな感情を誘起する色合いの発光を行い体感温度を良好とする照明灯を得ることができる。
【００２０】
また本発明は上記構成の照明灯システムにおいて、前記照明部を矩形とし、縦横両方向の中心線を挟むそれぞれの中心線に沿った狭い領域に前記第一副発光部と第二副発光部と第三副発光部とを併設し、これ以外の広い領域に前記主発光部を配設ことを特徴としている。この構成によると、矩形の広い領域の主発光部の、縦横両方向の中心線を挟む狭い領域に副発光部を設けるので、副発光部を用いて照明しても、これが原因で照明輝度が低くなったり、消費電力が上がったりしない。
【００２１】
また本発明は上記構成の照明灯システムにおいて、前記照明部を矩形とし、短辺の中心線により分割される一方側の、長辺の中心線を挟む該中心線に沿った狭い領域に前記第一副発光部と第二副発光部と第三副発光部とを併設し、これ以外の広い領域に前記主発光部を配設したことを特徴としている。この構成によると、副発光部を、矩形照明部の長辺の中心線の片側の狭い領域に設けて、消費電力を増加させずに、狭い領域で季節感やほのかな感情を誘起する色合いの発光を行う照明灯を得ることができる。
【００２２】
また本発明は上記構成の照明灯システムにおいて、前記発電部材がソーラーパネルであって、前記発光体がＬＥＤであることを特徴としている。この構成によると、昼間に太陽光を利用して発電した電力を、夜間の照明灯の電力として用いることができる。また、消費電力の小さいＬＥＤを用いるので、長時間に亘って使用可能な照明灯を得ることができる。
【００２３】
また本発明は上記構成の照明灯システムにおいて、前記制御装置がカレンダー機能を有し、副発光部の発光制御を季節に応じて変更することを特徴としている。この構成によると、季節に応じて副発光部の発光制御を変更する（例えば、基準となる第一設定温度と第二設定温度とを季節毎にそれぞれ変更する）ことで、より季節感に対応した発光照明が可能となる。
【発明の効果】
【００２４】
本発明によれば、照明部に、標準白色出力で発光する発光体を備える主発光部と、適宜選択されたときに所定の発光色で発光する発光体を備える副発光部とを設け、制御装置が、別に設ける温度センサが検知する周囲温度、もしくは、一定期間毎に算出される平均温度が、予め設定される温度領域のどの領域に該当するかを分類し、分類された温度領域に応じて、前記副発光部を発光制御する構成の照明灯システムとしたので、標準白色出力を行う主発光部が少ない消費電力で所定の照明輝度を発揮することができ、周囲温度や所定期間の平均温度によって発光色を変える副発光部を介して、夏は清涼感のある、冬は暖かみのある体感温度を良好とする照明を行う照明灯システムを得ることができる。そのために、本発明を庭園灯に利用すれば、この庭園灯を室内から眺める人が、照明される発光色から季節感を感じることができる。
【発明を実施するための最良の形態】
【００２５】
以下に本発明の実施形態を図面を参照して説明する。図１は本発明に係る照明灯の一実施形態を示し、（ａ）は全体構成を示す側面図であり、（ｂ）は照明灯が備える照明部の拡大説明図である。図２は本発明に係る照明灯の装置構成を説明するブロック図である。図３は照明部の点灯制御を説明するブロック図である。図４は本発明に係る照明灯システムの制御の流れを示すフローチャートである。図５は照明部が備える主発光部と副発光部の配設構成例を示し、（ａ）は第一例であり、（ｂ）は第二例であり、（ｃ）は第三例である。
【００２６】
図１に示すように、本実施形態に係る照明灯１は、支柱２と照明部３と発電部材とを備えて、電源が得られ難い地域や場所などに設置され夜間照明を行う照明灯である。また、発電部材としては、太陽光発電や風力発電を行い自然エネルギーを用いて発電する発電部材であればよく、本実施形態においては、太陽光発電を行うソーラーパネル４を支柱２の上端に備える構成としている。
【００２７】
支柱２内部に、制御装置５と蓄電池７が配設されている。蓄電池７は、支柱内部に設置する程度の大きさの比較的小型の蓄電池を複数設置して大きな蓄電容量を得る構成であって、例えば、蓄電池７Ａ、７Ｂ、７Ｃの三台が設置されている。また、６は温度センサであって、外気温を検知するために、支柱２の内部もしくは表面の、外気温を検知するのに適した位置に設置されている。
【００２８】
照明部３は、図１（ｂ）に示すように、それぞれ発光面３０を有する第一照明部３Ａと第二照明部３ＢをＶ型に組み付けた二面型照明部構成であり、照明部３の下部を広範囲に照らすようにしている。発光面３０は後述するように、主発光部３１と副発光部（例えば、第一副発光部３２、第二副発光部３３、第三副発光部３４）が設けられている。
【００２９】
主発光部３１は、標準白色出力で発光する発光体を備えていて、照明部３が点灯される際には常時発光される。副発光部は、適宜選択されたときに所定の発光色で発光する発光体を備えており、主発光部３１よりも小さな発光部面積とされる。例えば、主発光部３１の面積は７５％以上であり、副発光部の面積は２５％以下である。副発光部は三原色の発光体を備える１個の多色発光部でも、その発光色が予め定められた複数の発光部から構成してもよい。そのために、１個の多色発光部であれば、所定の発光色で発光するように制御し、複数の発光部からなる副発光部であれば、それぞれ発光色を予め異ならせておいて、所望の発光部を発光させるように制御する。
【００３０】
本実施形態においては、副発光部として、第一副発光部３２と第二副発光部３３と第三副発光部３４との三個の発光部を設けている。また、制御装置５が、別に設ける温度センサ６が検知する周囲温度、もしくは、一定期間毎に算出される平均温度が、予め設定される温度領域のどの領域に該当するかを分類し、分類された温度領域に応じて、前記主発光部３１に加えて前記第一副発光部３２、第二副発光部３３、第三副発光部３４のいずれか一つの副発光部を選択して発光する制御を行う構成としている。
【００３１】
ここで、発光面３０の構成例について図５を用いて説明する。
【００３２】
例えば、図５（ａ）に示す第一例は、照明部３を矩形とし、縦横いずれか一方向の中心線を挟む該中心線に沿った狭い領域に第一副発光部３２と第二副発光部３３と第三副発光部３４とを併設し、これらの副発光部を挟む両側の広い領域に主発光部３１を配設した発光面３０Ａを示している。また、照明部３が矩形で発光面３０も矩形であるので、中心部の狭い領域に配設する副発光部を挟む両側に、それぞれ矩形の複数の（例えば四枚の）主発光部３１を配設している。この主発光部３１一枚の大きさは特に限定されず、図示するような四分割の大きさの矩形状でも、隣接する二枚の主発光部を合わせた二分割の大きさの矩形状とすることもできる。
【００３３】
上記したような、縦横いずれか一方向の中心線を挟む該中心線に沿った狭い領域に副発光部を併設し、この副発光部を挟む両側の広い領域に主発光部３１を配設した構成であれば、広い主発光部３１で標準白色出力を行い、中心線に沿った狭い領域で発光色の異なる副発光を行うので、消費電力を抑制しながら照明輝度は主発光部に依存し、狭い領域で季節感やほのかな感情を誘起する色合いの発光を行う照明灯を得ることができる。
【００３４】
また、図５（ｃ）に示すように、縦横いずれか一方向の中心線を挟む該中心線に沿った狭い領域に副発光部を併設し、この副発光部を挟む両側の広い領域に複数の多角形状の主発光部３１（例えば、六個の六角形）を配設した発光面３０Ｃであっても、上記と同様な効果が得られる。
【００３５】
また、図５（ｂ）に示すように、複数の矩形状の発光部の中の一枚の発光部を副発光部とし、この副発光部に第一副発光部３２と第二副発光部３３と第三副発光部３４を併設した発光面３０Ｂとしてもよい。
【００３６】
さらに、照明部を矩形とし、縦横両方向の中心線を挟むそれぞれの中心線に沿った狭い領域に前記第一副発光部と第二副発光部と第三副発光部とを併設し、これ以外の広い領域に前記主発光部を配設することもできる。
【００３７】
次に、本実施形態に係る照明灯システムの装置構成について、図２に示すブロック図を用いて説明する。
【００３８】
制御装置５には、充放電制御部５１と温度検出部５２と温度コントローラ５３と点灯制御部５４が設けられていて、充放電制御部５１に発電部材であるソーラーパネル４と、蓄電池７が接続されている。また、温度検出部５２に温度センサ６が接続され、外部に設置する管理条件設定部８が温度コントローラ５３に接続されていて、この設定部で設定される条件に基づき温度制御を行う。また、点灯制御部５４を介して、照明部３としての主発光部３１、第一副発光部３２、第二副発光部３３、第三副発光部３４の点灯制御を行う構成としている。
【００３９】
ソーラーパネル４により日中に発電し、発電された電力を蓄電池７に蓄電する。夜間になると、点灯制御部５４を介して照明部３を点灯する。この際に、管理条件設定部８で設定された条件、例えば、所定の温度領域を設定して、所定の温度領域に応じて所定の発光部を点灯させるようにしている。
【００４０】
照明部３を点灯する際に、主発光部３１は常時点灯されるが、第一副発光部３２、第二副発光部３３、第三副発光部３４は、そのいずれか一つの副発光部が、予め定められた条件に基づいて点灯制御される。
【００４１】
例えば、予め定められる第一設定温度よりも低い温度領域である低温領域と、予め定められる第二設定温度よりも高い温度領域である高温領域と、これらの間の温度領域である中温領域との三段階の温度領域に分類して、この分類された三段階に対応させて、第一副発光部３２、第二副発光部３３、第三副発光部３４のいずれか一つを選択して点灯している。この構成によると、周囲温度を三段階に分類するだけの簡単な制御で、周囲環境に応じた心地よい照明色を発光することができる。
【００４２】
例えば、第一設定温度として１５℃を設定し、第二設定温度として２５℃を設定して、温度領域を１５℃以下の低温領域と、１５℃から２５℃の間の中温領域と、２５℃以上の高温領域との三段階に分類する。
【００４３】
それから、温度センサ６が検知した温度が、いずれの温度領域に該当するかを分類し、分類された温度領域に基づいて、予め定められた条件に従って、第一副発光部３２、第二副発光部３３、第三副発光部３４のいずれか一つを選択して点灯する。
【００４４】
また、そのときの温度ではなく所定期間の平均温度を用いて温度領域を分類することも可能であって、例えば、複数日（一週間でもよい）の平均温度から、点灯する際の低温領域と中温領域と高温領域とに分類することができる。このときの第一設定温度と第二設定温度は、それぞれ新たに設定可能であって、その地域や気候に応じて適宜変更することも可能としている。
【００４５】
複数日の平均温度から点灯制御する際には、前記制御装置５が、照明部３を点灯する日前の複数日の平均温度を算出し、算出された平均温度を前記三段階に分類し、分類された温度領域に応じて所定の副発光部を発光させる制御を行う。この構成であれば、複数日の平均温度を元に低温、中温、高温の領域を分類するので、より季節感に優れた照明色を発光可能となる。
【００４６】
さらには、前記温度センサ６による温度検知を、夜間の特定の時間の平均温度として、日射量の影響を受けずに比較的穏やかな夜間の特定の時間帯の温度を計測することで、その時期に適した温度を分類して照明表示することもできる。
【００４７】
発光色には、暖色系と寒色系とがあって、赤色や黄色などの暖色系では暖かく感じ、青色や青緑などの寒色系では寒く感じることは前述した通りである。そこで、第一副発光部３２、第二副発光部３３、第三副発光部３４のいずれかに、それぞれ暖色系発光部と寒色系発光部を設けた。また、残りの一つは標準白色の発光部とした。本実施形態では、第一副発光部３２を、標準白色出力で発光する発光体を備える副発光部とし、第二副発光部３３を、暖色系出力で発光する発光体を備える副発光部とし、第三副発光部３４が、寒色系出力で発光する発光体を備える副発光部とした。
【００４８】
暑いときに暖色系ではなく寒色系の色合いの発光色を点灯すると、ひんやりとした気分（清涼感）を誘起して涼しいと感じる。また、寒いときに暖色系の色合いの発光色を点灯すると、暖かな気分を誘起してほのぼのとした感じを得ることができる。また、これらの点灯はほのかなぼんやりとした灯りでよく、発光面の全面ではなく、一部の比較的狭い面の点灯でよいことが確かめられた。そこで、少ない消費電力で所定の照明輝度を発揮することができる標準白色出力部である大きな主発光部と、周囲温度や所定期間の平均温度によって発光色を変える小さな副発光部を介して、夏は清涼感を感じ、冬は暖かみを感じるような体感温度を良好とする照明を行う照明灯システムを構築することができる。
【００４９】
上記したように、前記第一副発光部３２を、標準白色出力で発光する発光体を備える副発光部とし、検知される前記周囲温度もしくは平均温度が前記中温領域に該当すると分類されたときに発光制御されるように構成すると、中温領域の場合には標準白色出力のみとなって、季節感やその他の感情を誘起しない通常の色合いの発光色の照明灯となる。
【００５０】
また、前記第二副発光部３３を、暖色系出力で発光する発光体を備える副発光部とし、検知される前記周囲温度もしくは平均温度が前記低温領域に該当すると分類されたときに発光制御されるように構成すると、温度が低温領域の場合には副発光部が暖色照明を行う構成となって、ほのぼのとした暖かな気分を誘起して、寒さを和らげることができる。
【００５１】
さらに、前記第三副発光部３４を、寒色系出力で発光する発光体を備える副発光部とし、検知される前記周囲温度もしくは平均温度が前記高温領域に該当すると分類されたときに発光制御されるように構成すると、温度が高温領域の場合に副発光部が寒色照明を行う構成となって、清涼感のある照明を行いひんやりとした気分を誘起して、暑さを和らげることができる。
【００５２】
また、副発光部の配設数を３個以上として、暖色系と寒色系に加えてこれらの中間色を発光させるようにしてもよく、前述したように、多色発光が可能な１個の副発光部として、分類された温度領域に応じた発光色で発光制御させるようにしてもよい。いずれにしても、分類された温度領域に応じて、標準白色発光と、暖色系発光と、寒色系発光とのいずれかを選択して発光制御する構成とすることで、体感温度が良好となるように調整することができる。
【００５３】
次に、管理条件設定部８を介して制御装置５に温度領域を設定する操作について図３を用いて説明する。
【００５４】
管理条件設定部８を操作して、第一設定温度と第二設定温度を設定することは既に述べた。さらに、温度コントローラ５３には、タイマー機能やカレンダー機能が内蔵されていて、前記管理条件設定部８を操作して、所定期間の平均温度を算出可能とし、季節に応じた温度領域に設定可能としている。例えば、温度検出部５２が検出する温度や算出した温度を用いて、一週間の平均気温を算出したり、一ヶ月の平均気温を算出したりすることを可能とし、予め定められる第一設定温度と第二設定温度を季節毎に設定可能としている。このように、副発光部の発光制御を季節に応じて変更する（例えば、基準となる第一設定温度と第二設定温度とを季節毎にそれぞれ変更する）ことで、より季節感に対応した発光照明が可能となる。
【００５５】
また、算出された温度が、予め設定される温度領域のどの領域に該当するかを比較して設定する機能も備えている。そこで、温度センサ６と温度検出部５２を介して得られた温度が、管理条件設定部８を介して設定された条件に基づいて、予め設定される三段階の温度領域どの領域に該当するかを規定する。また、規定された温度領域に基づいて、点灯制御部５４を介して、主発光部３１に加えて、第一副発光部３２、第二副発光部３３、第三副発光部３４のいずれか一つの副発光部を点灯制御する。
【００５６】
次に、図４に示すフローチャートを用いて本発明に係る照明灯システムの制御の流れをさらに詳細に説明する。
【００５７】
ステップ１（Ｓ１）でスタートし、ソーラーパネルが太陽光を受けて発電を開始すると日出検出（ステップ２：Ｓ２）と判定して充電開始（ステップ３：Ｓ３）する。その後、ソーラーパネルが受ける太陽光が減少すると日没検出（ステップ４：Ｓ４）と判定し充電を停止して蓄電池電圧検出（ステップ５：Ｓ５）し、温度検出・温度領域分類（ステップ６：Ｓ６）の結果を踏まえて、所定の発光部を点灯する点灯制御（ステップ７：Ｓ７）を行う。その後で、日出検出と判定されると消灯制御（ステップ８：Ｓ８）すると共に、ステップ３の充電開始となる。
【００５８】
ステップ２の日出検出（Ｓ２）は、ソーラーパネルの発電量が一定電圧以上（例えば５Ｖ以上）となったことを検出して判定することができる。同様に、ステップ４の日没検出（Ｓ４）は、ソーラーパネルの発電量が一定電圧以下（例えば５Ｖ以下）となったことを検出して判定することができる。
【００５９】
ステップ７（Ｓ７）の点灯制御は、前述したように、分類された温度領域により、主発光部３１と第一副発光部３２とを点灯する第一の制御Ｓ７ａ、主発光部３１と第二副発光部３３とを点灯する第二の制御Ｓ７ｂ、主発光部３１と第三副発光部とを点灯する第三の制御Ｓ７ｃのいずれか一つの制御を選択して点灯するものである。
【００６０】
また、ステップ７の点灯制御は、温度センサによって検出される周囲の温度により適宜変更してもよく、繰り返し温度領域分類して点灯制御する繰り返し制御Ｓ９を設ける照明灯システムとすることができる。
【００６１】
それぞれの発光部の発光体としては、ＬＥＤ発光体が好適であって、ＬＥＤ発光体を用いると、低消費電力で発光輝度の高い照明を行うことが可能となる。さらには、種々の色合いのＬＥＤ発光体を用いることができ、最も低消費電力で発光輝度の高い照明となる標準白色出力のＬＥＤ発光体や、暖色系の赤色や黄色などのＬＥＤ発光体や、寒色系の青色や青緑などのＬＥＤ発光体を用いて、所望の色合いの発光色を呈する照明を行うことができる。
【００６２】
上記したように、本発明によれば、照明部に、標準白色出力で常時発光する発光体を備える主発光部と、適宜選択されたときに所定の発光色で発光する発光体を備える副発光部とを設け、制御装置を介して、温度センサが検知する周囲温度、もしくは、一定期間毎に算出される平均温度が、予め設定される複数の温度領域のどの領域に該当するかを分類し、分類された温度領域に応じて、前記副発光部を発光制御する照明灯システムとしたので、周囲温度や所定期間の平均温度によって発光色を変える副発光部を介して、暑いときは涼しく感じ、寒いときは暖かく感じるような、心地よい発光色で照明する照明灯システムを構築することができる。
【００６３】
そのために、本発明を庭園灯に利用すれば、この庭園灯を室内から眺める人が、照明される発光色から季節感を感じることができる。
【００６４】
また、副発光部として、第一副発光部と第二副発光部と第三副発光部とを設け、分類された温度領域に応じて、前記主発光部に加えて前記第一副発光部、第二副発光部、第三副発光部のいずれか一つの副発光部を選択して発光する制御を行う照明灯システムとしたので、周囲温度や所定期間の平均温度によって発光色を変える副発光部を介して、周囲環境に応じた心地よい発光色で照明する照明灯システムを構築することができる。
【００６５】
特に大きな部分を占める主発光部を標準白色出力としたので、少ない消費電力で所定の照明輝度を発揮可能な照明灯システムとなる。
【００６６】
また、副発光部を、標準白色出力の第一副発光部と、暖色系出力の第二副発光部と、寒色系出力の第三副発光部としたので、寒いときには温かみを感じさせる暖色系の色合いを混じらせ、暑いときには涼しさを感じさせる寒色系の色合いを混じらせることができ、暑さや寒さを和らげて体感温度を良好とすることが可能な照明灯システムを構築することができる。
【産業上の利用可能性】
【００６７】
本発明に係る照明灯システムは、自然エネルギーを用いて発電する発電部材と蓄電池を備えて、暑さや寒さを和らげて体感温度を良好とする発光色で照明することができるので、電源が得られ難い地域や場所に設置する照明灯に好適に利用可能となる。
【図面の簡単な説明】
【００６８】
【図１】本発明に係る照明灯の一実施形態を示し、（ａ）は全体構成を示す側面図であり、（ｂ）は照明灯が備える照明部の拡大説明図である。
【図２】本発明に係る照明灯の装置構成を説明するブロック図である。
【図３】照明部の点灯制御を説明するブロック図である。
【図４】本発明に係る照明灯システムの制御の流れを示すフローチャートである。
【図５】照明部が備える主発光部と副発光部の配設構成例を示し、（ａ）は第一例であり、（ｂ）は第二例であり、（ｃ）は第三例である。
【符号の説明】
【００６９】
１    照明灯
２    支柱
３    照明部
４    ソーラーパネル
５    制御装置
６    温度センサ
７    蓄電池
３０    発光面
３１    主発光部
３２    第一副発光部
３３    第二副発光部
３４    第三副発光部
【図１】
2010067375.tif 000003
【図２】
2010067375.tif 000004
【図３】
2010067375.tif 000005
【図４】
2010067375.tif 000006
【図５】
2010067375.tif 000007